(57)【要約】【課題】ウェブブラウジングのプロセスと履歴とを俯瞰的に視覚化して表示することのできる技術を提供する。【解決手段】ネットワークを介して接続されたサーバの蓄積情報をダウンロードして表示する端末上にインストールされたブラウザにおいて、ネットワークを介して閲覧しているサイトの画面を逐次表示するブラウジング画面表示部と、ダウンロードした過去の画面情報をサムネイル表示または重ね表示する履歴画面表示部と、前記ブラウジング画面表示部おいて、表示された画面情報に対して文字、図形またはこれらの組み合わせからなる付加情報を追加する付加情報追加機能部とを設けた。【選択図】図1
2009048278.tif 000002
【特許請求の範囲】
【請求項１】
ネットワークを介して接続されたサーバの蓄積情報をダウンロードして表示する端末上にインストールされたブラウザであって、
ネットワークを介して閲覧しているサイトの画面を逐次表示するブラウジング画面表示部と、
ダウンロードした過去の画面情報をサムネイル表示または重ね表示する履歴画面表示部と、
前記ブラウジング画面表示部または履歴画面表示部に表示された画面情報に対して文字、図形またはこれらの組み合わせからなる付加情報を追加する付加情報追加機能部と、
からなるブラウザ。
【請求項２】
ネットワークを介して接続されたサーバの蓄積情報をダウンロードして表示する端末上にインストールされたブラウザであって、
ネットワークを介して過去に閲覧したサイトの画面履歴を年、月、週、日または時間単位でサムネイル表示または重ね表示する履歴画面表示部を備えたブラウザ。
【請求項３】
ネットワークを介して接続されたサーバの蓄積情報をダウンロードして表示する端末上にインストールされたブラウザであって、
ネットワークを介して過去に閲覧したサイトの画面履歴を見出し情報毎にブロック状に重ね表示する履歴画面表示部を備えたブラウザ。
【請求項４】
前記見出し情報は、ブックマークタイトル、ユーザの検索対象となった検索ワード、ユーザが任意に設定したふせんマーク、または画面遷移（リンク）の際の分岐となったアンカーワードの中の少なくともいずれか１つである請求項３記載のブラウザ。
【請求項５】
前記履歴画面表示部とともに、ブロックを構成する画面をサムネイル表示するサムネイル表示画面を備えた請求項３記載のブラウザ。
【請求項６】
ネットワークを介して過去に閲覧したサイトの画面履歴を日毎の時間単位で重ね表示する際に、日の開始位置を任意に設定可能な履歴画面表示部を備えた請求項２記載のブラウザ。
【請求項７】
ネットワークを介して接続されたサーバの蓄積情報をダウンロードして表示する端末上にインストールされたブラウザであって、
ネットワークを介して過去に閲覧したサイトの画面履歴をアンカーワード毎にブロック状に重ね表示する履歴画面表示部において、
前記アンカーワードは、所定の検索ワードに対して検索結果として表示されたページ画面中で出現率の高いアンカーワード、履歴分岐の多いページのアンカーワードまたはユーザの閲覧滞在時間の長いページに記載されたアンカーワードから優先アンカーワードを抽出して表示するようにしたブラウザ。
【請求項８】
前記履歴画面表示部とともに、閲覧履歴の流れ図を表示する閲覧フロー画面を備えた請求項３記載のブラウザ。
【発明の詳細な説明】
【技術分野】
【０００１】
本発明は、ネットワークを介してサーバに登録されたデータを閲覧する端末上のブラウザプログラムに関する。
【背景技術】
【０００２】
ＴＣＰ／ＩＰによる通信プロトコルを用いた通信システム、いわゆるインターネットの急速な普及により、一般のユーザもパーソナルコンピュータを購入するだけで、ネットワーク上に散在する有用な情報を取得・整理することができるようになった。
【０００３】
このようなネットワークリソースの閲覧はインターネットエクスプローラ（マイクロソフト社の商標）やネットスケープ（ネットスケープ社の商標）に代表されるブラウザプログラムと呼ばれる閲覧アプリケーションによって特定のアドレス（ＵＲＬ:Uniform  Resource Locator）に蓄積されたソースファイル（HTMLファイル）やそれと関連付けられた画像ファイル、動画ファイル、音声ファイル等を端末にダウンロードすることによって、可視的・可聴的なデータに変換する処理を通じて行われている。
【０００４】
ところで、このようなブラウザプログラムによる閲覧の履歴は、ユーザがインターネットリソースを再利用する際に重要なトリガとなる。たとえば、特定のキーワードを検索サイトを使って検索した場合、その検索結果に基づいてどのようにサイトを閲覧したのかという記録が残っていれば、時間をおいてさらに多様な検索を試みたい場合に、再度キーワードに戻る必要がなく、検索労力を低減できるからである。
【０００５】
そのため、前述のブラウザプログラムには、閲覧履歴を記録する機能を備えたものがあり、日毎に閲覧したＵＲＬを当該ページのタイトルとともに表示するようになっていた。
【０００６】
なお、閲覧ページの履歴をツリー状に表示するものとして特許文献１（特開２００３−４４３９２号公報）があるが、これも単にリストをツリー表示したものであって、過去の閲覧履歴が俯瞰できるものではなかった。
【特許文献１】特開２００３−４４３９２号公報
【発明の開示】
【発明が解決しようとする課題】
【０００７】
以上のように、前述の汎用ブラウザプログラムの履歴表示機能では、閲覧したＵＲＬがリスト的（あるいはツリー的）に表示されるだけであり、リストされたＵＲＬ間を、自分がどのような意思の元にどのように移動したのかはわからない。つまり、一々それらのＵＲＬに再度アクセスしなければ過去の自分の閲覧意図を思い出すことができないのが現状である。
【０００８】
本発明者は、ウェブブラウジングによる閲覧行動そのものが、何かを知りたい・調べたいという人間の知的欲求に基づくものであり、この知的活動体験の記録そのものが知的資産として自分自身のみならず他人に対しても価値があることにはじめて気がついた。
【０００９】
本発明はこのような点に鑑みてなされたものであり、ウェブブラウジングのプロセスと履歴とを俯瞰的に視覚化して表示することのできる技術の提供を課題とする。
【課題を解決するための手段】
【００１０】
前記課題を解決するために、本発明では、以下の手段を採用した。
【００１１】
本発明の第１は、ネットワークを介して接続されたサーバの蓄積情報をダウンロードして表示する端末上にインストールされたブラウザであって、ネットワークを介して閲覧しているサイトの画面を逐次表示するブラウジング画面表示部と、ダウンロードした過去の画面情報をサムネイル表示または重ね表示する履歴画面表示部と、前記ブラウジング画面表示部または履歴画面表示部に表示された画面情報に対して文字、図形またはこれらの組み合わせからなる付加情報を追加する付加情報追加機能部と、からなるブラウザである。
【００１２】
このように、本発明のブラウザは、ウェブページの閲覧履歴をデータとして取得しそれを視覚化する機能をもつ。また、その閲覧履歴のデータを利用し、過去に閲覧されたウェブページを再閲覧する機能をもつ。ウェブアーカイブ時代の新しいウェブブラウジングを強化するソフトウェアとして提供される。
【００１３】
そして、ウェブページの閲覧履歴の視覚化は、ウェブ閲覧という人々の知的活動それ自体を俯瞰してみる機会を提供する。そこから人々は、自他のウェブ利用における方略（ストラテジー）を見いだすことができる。それはウェブ利用におけるメタ知識といえる。そして、このソフトウェアは、ユーザの自己の閲覧履歴利用にとどまらず、他者の履歴データを参照し利用する機能をもっている。それにより、自分の知的活動のふり返りとして、また他者の履歴から、他者の知的活動における方略を参照するが可能となる。そこから、以下の認知的な価値を生成することができる。つまり、「閲覧＋履歴データ＋再閲覧 = 
価値」としたものである。
【００１４】
特にこの発明では、前記ブラウジング画面表示部、または履歴画面表示部に表示された画面情報に対して、文字、図形またはこれらの組み合わせからなる付加情報を追加する付加情報追加機能、つまりふせん機能を設けることにより、後でブラウジング結果をレビューする際に把握が容易となる。
【００１５】
本発明の第２は、ネットワークを介して接続されたサーバの蓄積情報をダウンロードして表示する端末上にインストールされたブラウザであって、ネットワークを介して過去に閲覧したサイトの画面履歴を年、月、週、日または時間単位でサムネイル表示または重ね表示する履歴画面表示部を備えたブラウザである。
【００１６】
画面履歴が年、月、週、日または時間単位で視覚的に俯瞰できることによって、過去の閲覧ログを時間的に把握することが容易となる。
【００１７】
本発明の第３は、ネットワークを介して接続されたサーバの蓄積情報をダウンロードして表示する端末上にインストールされたブラウザであって、ネットワークを介して過去に閲覧したサイトの画面履歴を見出し情報毎にブロック状に重ね表示する履歴画面表示部を備えたブラウザである。
【００１８】
ブロック状に重ね表示をすることによって、閲覧履歴をあるまとまりをもった情報の束として俯瞰することが可能となる。
【００１９】
本発明の第４は、前記見出し情報は、ブックマークタイトル、ユーザの検索対象となった検索ワード、ユーザが任意に設定したふせんマーク、または画面遷移（リンク）の際の分岐となったアンカーワードの中の少なくともいずれか１つであるブラウザである。
【００２０】
つまりふせんマークやアンカーワード毎に見出し情報を付加することによって閲覧履歴も俯瞰がさらに容易となる。
【００２１】
本発明の第５は、前記履歴画面表示部とともに、ブロックを構成する画面をサムネイル表示するサムネイル表示画面を備えたブラウザである。サムネイル表示を付加したことで、画面のイメージが把握しやすくなる。
【００２２】
本発明の第６は、ネットワークを介して過去に閲覧したサイトの画面履歴を日毎の時間単位で重ね表示する際に、日の開始位置を任意に設定可能な履歴画面表示部を備えたブラウザである。
【００２３】
日の開始位置をユーザの生活パターン、パーソナルコンピュータの使用環境に合わせて設定することができる。
【００２４】
本発明の第７は、ネットワークを介して接続されたサーバの蓄積情報をダウンロードして表示する端末上にインストールされたブラウザであって、ネットワークを介して過去に閲覧したサイトの画面履歴をアンカーワード毎にブロック状に重ね表示する履歴画面表示部において、前記アンカーワードは、所定の検索ワードに対して検索結果として表示されたページ画面中で出現率の高いアンカーワード、履歴分岐の多いページのアンカーワードまたはユーザの閲覧滞在時間の長いページに記載されたアンカーワードから優先アンカーワードを抽出して表示するようにしたブラウザである。
【００２５】
このように検索による画面分岐やリンクによる任意の画面分岐の際にアンカーワードの抽出の優先順位を決めておくことによって、ユーザの特性や意志をより反映した画面履歴情報を取得することが可能となる。
【００２６】
本発明の第８は、前述の履歴画面表示部とともに、閲覧履歴の流れ図を表示する閲覧フロー画面を備えたブラウザである。ここで流れ図とは、検索結果で表示される検索結果リストにしたがって各サイトを閲覧した順番や、閲覧ページのアンカーを利用してリンク先の各ページを閲覧した順番を流れ図（フロー図）として表示したものである。一つの検索語から複数のサイトを検索してそれぞれの検索結果サイトを閲覧したような場合には、その検索結果のページを流れ図の分岐点とし、検索語をページの見出しとして表示する。さらに、閲覧中のページからアンカーを利用してリンク先の各ページに遷移した場合には、遷移もとの閲覧ページを流れ図の分岐点とし、アンカーワードをページの見出しとして表示する。
【発明の効果】
【００２７】
本発明によれば、従来は羅列的だった履歴表示に対して、ウェブブラウジングのプロセスと履歴とを俯瞰的に視覚化して表示することができ、ユーザの知的活動を活性化させることができる。
【発明を実施するための最良の形態】
【００２８】
次に、本発明を実施するための最良の形態を図を用いて説明する。
【００２９】
図１は、ネットワークの全体のシステム構成を示したものである。
【００３０】
同図に示すように、汎用ネットワークであるインターネット（ＴＣＰ／ＩＰによるネットワーク伝送システム）には、ウェブアーカイブサーバと、リブラウザサーバと、ＷＷＷサーバと、ユーザＰＣとが接続されている。
【００３１】
同図において、ウェブアーカイブサーバは、ネットワーク上に散在するウェブデータがアーカイブとして登録されている。  本実施形態のリブラウザプログラムは、前記ウェブアーカイブサーバに蓄積されたアーカイブデータを閲覧ページのウェブ画像で表示するた
めに用いることもできる。また、ユーザＰＣにダウンロードされたウェブ画像を用いてもよい。
【００３２】
リブラウザサーバには、リブラウザプログラムがダウンロード可能な状態で登録されており、このリブラウザサーバからネットワークを介してリブラウザプログラムをユーザＰＣにダウンロードすることによって、ユーザＰＣ上でリブラウザプログラムが実行可能な状態でインストールされることになる。後述の閲覧履歴データテーブルは、このリブラウザサーバに設けられていてもよいし、ユーザＰＣのハードディスク装置内に設けられていてもよい。
【００３３】
なお、リブラウザプログラムは、このようなリブラウザサーバからダウンロードする場合の他に、ユーザＰＣのＣＤ、ＤＶＤ等のメディアドライブ装置にインストールプログラムを登録したＣＤ、ＤＶＤメディアを装着することによってインストールしてもよい。
【００３４】
図２は、ユーザＰＣの内部構成を示したものである。
【００３５】
同図に示すように、ユーザＰＣは、中央処理装置（ＣＰＵ）およびメインメモリ（ＭＭ）を中心にバス（ＢＵＳ）を介して接続されたハードディスク装置（ＨＤ）、出力装置としてのディスプレイ装置（ＤＩＳＰ）、入力装置としてのキーボード（ＫＢＤ）とで構成されている。
【００３６】
ハードディスク装置（ＨＤ）には、オペレーティングシステム（ＯＳ）の他に、処理プログラムとして本発明に係るリブラウザプログラムがインストールされる。このリブラウザプログラムのユーザＰＣへのインストールについては前述の通りである。
【００３７】
このリブラウザプログラムは、バス（ＢＵＳ）を介してメインメモリ（ＭＭ）に読み込まれさらに中央処理装置（ＣＰＵ）によって順次実行されることによって、本発明の機能を実現することになる。
【００３８】
ここで、本発明におけるリブラウザプログラムの機能について説明する。
【００３９】
このリブラウザプログラムは、大きく４つの機能で構成される。すなわち、閲覧機能、閲覧履歴データ機能、再閲覧機能、履歴の俯瞰機能である。
【００４０】
第１の閲覧機能は、一般のブラウジング機能、および実時間での閲覧履歴の視覚化機能を有している。
【００４１】
第２の閲覧履歴データ機能は、ウェブページ閲覧にともなう付帯情報を収集・保持する機能である。
【００４２】
第３の再閲覧機能は、「閲覧履歴データ」に基づいた、過去時間の当該ページ閲覧機能である。ただし、ウェブアーカイブサーバが存在しない場合は、ＷＷＷの現在ページの閲覧機能を提供することになる。１つの閲覧単位（「興味ブロック」として履歴データで管理している（後述））における再閲覧を提供する。
【００４３】
第４の履歴の俯瞰機能は、複数の閲覧単位（興味ブロック）に渡っての、閲覧履歴データそれ自体を視覚化する機能である。それにより、ユーザは、再閲覧より上位にある、ＷＷＷ利用の流れを俯瞰することができる。
【００４４】
図３は、リブラウザプログラムを実行した際のユーザＰＣのディスプレイ装置（ＤＩＳ
Ｐ）の表示画面で前記各機能を示したものである。
【００４５】
ここで、オリジナルのウェブページデータは、リブラウザサーバと、ユーザＰＣのいずれに蓄積されていてもよい。そして、リブラウザサーバ側にある場合は、ユーザＰＣのハードディスク装置（ＨＤ）には「閲覧履歴データ」のみを保存管理すればよい。また、オリジナルのウェブページデータがユーザＰＣ側にある場合には、ユーザＰＣのハードディスク装置（ＨＤ）には、「閲覧履歴データ」とともに、「オリジナルのウェブページデータ」を蓄積する。この場合、他のユーザＰＣ間と端末間通信、すなわちピア・トゥ・ピア（Pear-to-Pear）通信による「閲覧履歴データ」とページデータの交換が可能となる。
【００４６】
このような「閲覧履歴データ」を表示するために、図３（ｂ）に示すような閲覧履歴データテーブルが設けられる。この「閲覧履歴データテーブル」では、ＵＲＬとページタイトル（HTMLではタイトルタグ<title>〜</title>に相当する部分）と閲覧開始日時と押し
下げたアンカーワードとが関連付けられて登録されている。
【００４７】
一連のウェブ閲覧行為は、複数の関心のつらなりとして構成されているとみなすことができる。その流れには区切りがあり、それによって「単位」が形成されていると考え、その単位の１つを「興味ブロック」と呼ぶ。その単位を利用して、ウェブ閲覧履歴を構造化することができる。
【００４８】
以下にその「興味ブロック」について説明する。
【００４９】
この、興味ブロックの画面上での表示形態としては、ページが重なって表現される。そして、見出しは、記号と文字、またはその組み合わせで表現される。
【００５０】
リブラウザプログラムでは、ウェブ閲覧を、ユーザの関心に添ったページ群を１つの単位として捉えている。このリブラウザプログラムではそれを「興味ブロック」として定義付けた。興味ブロックの種類としては、以下のものがある。
１．「ブックマークブロック」
ブックマーク〜ブックマークで区切られたもの
２．「検索ブロック」
検索語により始まるブロック
３．「ＵＲＬ手入力ブロック」
ＵＲＬを入力したページが区切りとなるブロック
４．「新規ウィンドウブロック」
別アプリケーションのリンクボタンにより新規ブラウザウィンドウが立ち上がり閲覧したページが区切りとなるブロック
５．「ふせんブロック」
おなじ種類のふせん(全n色・自由記述)を付けたもの
６．「ドメイングループ」
ドメイン毎でまとめたもの
【００５１】
興味ブロックはリブラウザプログラムにおいて、３つのページ上で表示される。それらは、閲覧機能、再閲覧機能、履歴の俯瞰機能に帰属する。
【００５２】
閲覧における「履歴画面表示部」での表示は、興味ブロックの生成過程が可視化される。つまり、ブラウジング画面表示部で閲覧しているページがサムネイル化され、実時間で「履歴画面表示部」に表示される、さらに、閲覧がリンクページに移行する毎に、新たなサムネイルが生成され、当該履歴画面表示部に追加される。そして、当該履歴画面表示部の下部に、サムネイルの蓄積が視覚化される。
【００５３】
図４は、リブラウザプログラムによる閲覧画面を示す図である。
【００５４】
同図に示すように、このリブラウザの画面構成では、ネットワークを介してアクセスしたサイトからダウンロードした画面を逐次表示するブラウジング画面表示部と、ダウンロードした過去の画面情報をサムネイル化して表示する履歴画面表示部とを有している。
【００５５】
また、画面上部にはメニューが表示されている（付加情報追加機能部）。
【００５６】
前記ブラウジング画面表示部には、ふせん機能を有しており、このふせん機能は、メニューのアイコンをマウス等の補助入力装置で指定することによって機能を活性化できる。
【００５７】
ふせん機能は、ブラウジング画面表示部、または履歴画面表示部に表示された画面情報に対して文字、図形またはこれらの組み合わせからなる付加情報をふせんとして登録することができる。具体的には、画面情報に対して入力された文字、図形が関連付けられてハードディスク装置（ＨＤ）内に登録されることによって行われる。このふせん機能については、詳細を後述する。
【００５８】
履歴画面表示部に表示される閲覧履歴データは前述のように閲覧履歴データテーブルから読み出されたデータが可視的に表示されており、自動取得データとユーザの入力する情報とがあり、それらを４種、すなわち、閲覧の概要となるタグ情報、ユーザ情報、ユーザが入力するタグ情報およびシステムが生成する情報に分類できる。
1．閲覧の概要となるタグ情報
ａ．ＵＲＬ
ｂ．タイトル（閲覧ページのタイトル HTMLソースでは<title>〜</title>に相当する）
ｃ．閲覧開始日時
ｄ．押下したアンカーワード
ｅ．アンカーワード説明語（押下したアンカーワードが示す次ページのタイトル）
（アンカーワード説明語は、ブロックの見出し表示の際に、”つぎへ”“こちら”“１”などがアンカーワードになっている場合に、そのリンク先のページタイトルがアンカーワードの補足として使用される）
f．アンカーワードを押下した時刻
g．検索エンジン利用における検索ワード
h．検索エンジン利用における検索ボタン押下した時刻
２．ユーザ情報
ｉ．ユーザＩＤ（閲覧者のユニークなＩＤ）
ｊ．ニックネーム（閲覧者の呼称）（自由記述）
３．ユーザが入力するタグ情報
ｋ．ふせん色：（自由記述）
ｌ．ふせん文：（自由記述）
ｍ．興味ブロックタイトル：（自由記述）
ｎ．興味ブロックグループタイトル：（自由記述）
４．システムが生成する情報
ｏ．サムネイルアドレス：サムネイル画像参照用アドレス
ｐ．「興味ブロック」の分節
ｑ．ブックマークタイトル（利用したブックマークのタイトル）
ｒ．遷移元情報
【００５９】
遷移元情報とは、現在のページにたどり着くためのユーザの前行動についての情報である。具体的には以下のいずれかに該当し、４種類に分類される。なお、データレコードに
は当該入力元情報が入力される。
（イ）閲覧ページ内の情報
１．閲覧ページ内のアンカー
２．閲覧ページ内の記載情報（文字／画像）を含んだ、ＵＲＬ欄への文字入力
３．閲覧ページ内の検索機能
（ロ）再閲覧ページ内の情報
１．再閲覧ページ内のアンカー
２．再閲覧ページ内の記載情報（文字／画像）を含んだ、ＵＲＬ欄への文字入力
（ハ）ブラウザのページ遷移機能
１．戻るボタン
２．進むボタン
３．履歴一覧からの選択
４．履歴画面表示部内の履歴サムネイル
５．その他
（ニ）その他の方法
１．ブラウザ機能によるＵＲＬ自動入力（ブックマーク，HOME，QRコード読取り等）
２．ＵＲＬ入力欄への直接入力
３．他アプリケーションからの自動ＵＲＬ入力（メーラー等）
４．その他
【００６０】
また、「興味ブロック」の分節については、新規興味ブロックの生成判断フラグであり、具体的には次の要素により判断される。
【００６１】
第１は、遷移元情報による判断であり、遷移元が前述の（ニ）の場合、遷移元が前述の（イ）-３.の場合（ただし、サイト内の検索（例：Y○hoo!ニュース検索）ではなく、ウ
ェブ全体の検索の場合のみがある。さらに、その他として、たとえば、ユーザが指定した場合等がある。
【００６２】
＜再閲覧における「履歴画面表示部」での表示＞
「再閲覧ページ」を構成する３つの画面表示部のうち左側に配置される「履歴画面表示部」では、その蓄積が視覚化された複数の興味ブロックとして表示される。そこには、閲覧したページの内容を示す「見出し」が付いている。また、複数の興味ブロックをグループ化して表示するのも、この履歴画面表示部である。当該履歴画面表示部の上部には、再閲覧の対象としてユーザが選択した興味ブロックが表示される。
【００６３】
＜履歴の俯瞰機能における「もくじページ」の「最近の履歴」表示＞
「もくじページ」の左側に配置される「最近の履歴」は、当日と昨日にユーザが閲覧した複数の興味ブロックが表示される。
【００６４】
＜履歴ページのサムネイルの表示＞
履歴ページのサムネイル表示の表示形態としては、
１．サムネイル表示（「閲覧ページ」で表示される）
２．重ね表示（「閲覧ページ、再閲覧ページ、もくじページ」で表示される）
履歴ページ群を表し、端面の色や並びなどから視覚的にページの内容が類推できる。
３．拡大表示（「再閲覧ページ」で表示される）
サムネイルを拡大して表示し、ページスクロールが可能。
等がある。ここで重ね表示については図５、拡大表示については図６に示す。
【００６５】
図７は興味ブロックの表示の実例について示したものである。
【００６６】
＜ふせん機能＞
「ふせん機能」とは、履歴ページに対し、利用者が自由記述により任意に付ける文章(
メモ)を視覚的に表示/編集する機能である。
【００６７】
図８に示すように、「ふせんボタン」をマウス等の補助入力装置で指定してクリックし、プルダウンダイアログからふせんの色を選択し、テキストフィールドへ、メモを記述する。また、右クリックからポインタの位置に貼付けた後に色指定を行ってもよい。
【００６８】
ふせんを貼付けると、図９に示すように、「ふせんサイン」が表示され、当該ページにふせんが付いていることが明示される。この「ふせんサイン」をクリックすることで、メモを閲覧することができる。
【００６９】
図１０は、ふせん機能における文字の表示形式を示したものである。ふせんの図形の外部に文字列を表示してもよいし、ふせんの図形内に文字列を表示してもよい。
【００７０】
このようなふせん機能は、具体的にはブラウジング画面表示部において特定の表示画面にＩＤが付与されてこのＩＤとふせん機能で挿入された文字列を関連付けてハードディスク装置（ＨＤ）内に生成されるユーザテーブルに登録することによって閲覧履歴画面とふせんとの関連付けが行われるようになっている。
【００７１】
なお、図７で示した.「見出し」については、「閲覧履歴データテーブル」をもとに、
「興味ブロック」の内容を示す重要な目次・キーワード、ブックマーク名称、検索語、ふせんのメモ、アンカーワード、アンカーワード説明語などで構成されている。
【００７２】
＜再閲覧機能、再閲覧ページ＞
図１１は、リブラウザプログラムによって実現される、再閲覧機能をディスプレイ装置（ＤＩＳＰ）上で表示した例である。
【００７３】
再閲覧機能とは、選択した任意の「興味ブロック」のコンテンツであるページ群を再度閲覧する機能である。ここでは、「興味ブロック」を目的に応じて、（１）「ページイメージから再閲覧する」、（２）「ページ内容を示すテキストから再閲覧する」、（３）「過去の閲覧の流れから再閲覧する」のそれぞれからユーザが再閲覧を希望するページを選択することができる。
【００７４】
具体的には、画面左側の履歴画面表示部で選択した「興味ブロック」内のページを、画面右側のブラウジング画面表示部で履歴ページを表示させ再閲覧することができる。なお、ここでは、全ページ表示(スクロール)することができる。また、ここでは当該ユーザＰＣがネットワークに接続されていれば、当該ＵＲＬからのデータをリロード指示することで、その履歴ページに対応したリアルタイムでのウェブページ（その時点でウェブサーバに存在しているデータ）を閲覧することができる。
【００７５】
再閲覧ページ機能でのブラウジング画面表示部では、表示される主な要素（サムネイル表示、見出し項目、履歴ページの前後のつながり）を切り替え、用途、目的に合わせた任意の方法で履歴ページを閲覧できる。この例では、画面右下に表示される切り替えボタンによって実現される。
【００７６】
図１２は、この切り替えボタンを拡大表示したものである。当該切り替えボタンの各項目について説明すると、「文字」ボタンは、アンカーワードや、ページ名称等の文字情報を主として表示する画面への切り替えを行う。「画像」ボタンは、サムネイル表示等の画像情報を主として表示する。「流れ」ボタンは、履歴の流れ図（フロー図）を主として表
示する。「保存」ボタンは、選択した「興味ブロック」／履歴ページをローカル（ユーザＰＣのハードディスク装置内に保存する。さらに、「公開」ボタンは、選択した「興味ブロック」や履歴ページを サーバ上で公開する。公開は、「公開」ボタンを押下し選択画
面より、ユーザＰＣに蓄積された当該ユーザの「興味ブロック」／履歴ページをリブラウザサーバの所定アドレスにアップロードし、他のユーザからの閲覧が可能な状態である。
【００７７】
図１３は、前記「文字」ボタンを指定した際に表示される文字情報を主として表示した画面例であり、図１４は、「流れ」ボタンを指定した際に表示される履歴の流れ図を主として表示した画面例である。
【００７８】
＜履歴の俯瞰機能：履歴俯瞰ページ＞
「閲覧履歴データ」をもとに、より長い時間単位でWeb閲覧の体験を視覚化し、ウェブ
を利用していた様子を俯瞰するための機能を説明する。
【００７９】
図１５は、ブラウジング画面表示部を閉じ、画面全幅に拡張表示された閲覧履歴画面表示部において、カレンダー表示を行った画面例である。ソート項目で選択した順序で「閲覧履歴データ」を集計し、サムネイル画面としてランキング表示している。図１６は、カレンダー表示の切り替え表示例であり、サムネイル画面で表示された項目をさらに選択することでカレンダー表示部に当該項目をハイライト表示している。
【００８０】
ソート項目としては、「よくみるサイト」、「よくみるＢＭ（ブックマーク）」、「ふせん」、「検索履歴」および「その他」がある。ここで、「よくみるサイト」は、サイト履歴ページ数に応じた量でソートする機能であり、「よくみるＢＭ」は、特定の期間中のＢＭページの更新された量 (WebArchive DBソースを参照)でソートする機能である。また、「ふせん」は、所定の色毎のふせんの量でソートする機能であり、「履歴検索」は、検索した単語に該当する履歴ページの量でソートする機能である。さらに、「その他」ではソート項目をユーザが任意に設定することができる。
【００８１】
なお、カレンダー表示部では、図１６左図に示すように、時間毎の閲覧量を可視的に表示したり、右図に示すように、時間帯毎に分布表示したりすることが可能である。
【００８２】
また、グラフ表示においては、縦軸を時間／量、横軸を週／月／年としてグラフ表示を切り替えてもよい。
【００８３】
また、１日の定義については、ユーザの生活パターンに合わせて、日をまたいでいるブロックを分けないで表示したり、区切りバーの移動により、1日を任意の時間でも区切る
ことができる。具体例としては、テレビの番組表のように、５：００〜５：００としてもよい。さらに、ユーザが任意に設定した基準によりデフォルトの設定時間を算出してもよい。これは具体的には図１７に示すように、画面上に表示されるスライダをマウス等で移動させることにより設定可能となっている。
【００８４】
１日の始まり時間のデフォルトとしては、「ＰＣ起動時間」、「メール送受信の記録」、「キーボード、マウス操作」、「（１．２．３．）の組み合わせ等、情報機器の操作入力信号を基準に○週間の平均を判断する場合や、○時間前を１日の区切りとする場合等」、「午前０時」、「候補選択型」（たとえば昼型、夜型等）、「質問と選択の組み合わせ」（たとえば、「起きる時間は？」という質問に対して「６〜９時  ９〜１２時・・・」と答えた場合等）が考えられる。
【００８５】
さらに、パーソナルコンピュータや携帯等情報機器の操作入力信号をもとに、１週間（一定期間）の１日における入力信号の有無のパターンをもとに、起床時間と就寝時間とい
ったユーザの活動時間（の平均や傾向）を割り出して、その起床時間の前後○時間前を基準に、1日の始まり時間として自動的に設定してもよい。
【００８６】
なお、グラフについては図１８に示すように、閲覧量の多い時間と少ない時間とで偏りがある場合、同一の時間帯の後ろの列を折り返し奥行きをもたせたグラフ（同図では８時の時間帯）としてもよい。同図では後ろの列を折り返し付加した例で説明したが、前に折り返し列を設けてもよいことはもちろんである。
【００８７】
図１９はもくじページの画面表示例である。
【００８８】
もくじページ画面は、ユーザにとっての最近のウェブ閲覧履歴を主として俯瞰する機能である。ここでは、３つの項目、「最近の履歴」「スターティングブックマーク」「最近追加したもの」から、再閲覧画面に移行することができる。「スターティングブックマーク」とは、ユーザが高い頻度で利用しているブックマークから選択した、履歴を参照したい複数種類のブックマークである。
【００８９】
図２０および図２１は、興味ブロック俯瞰ページの画面表示例を示したものである。この興味ブロック俯瞰ページでは、閲覧履歴データを元に、興味ブロック単位で、ウェブ閲覧履歴を俯瞰の為に表示する。閲覧履歴データの組み合わせにより、目的に応じて様々なウェブ閲覧履歴を俯瞰する為の表示が可能である。
【００９０】
図２０では、画像と、詳細な「閲覧履歴データ」より俯瞰する為の表示をしている。ここで表示される「閲覧履歴データ」の種類は、利用者が任意に追加/削除できる。また、
図２１では、1日を境として、画像と見出しを主として俯瞰する為の表示をしている。
【００９１】
興味ブロックは図２２に示すように、グループ化して表示することも可能である。このときグループ内ブロックを時系列で表示するか否かを選択できるようにしてもよい。
【００９２】
「興味ブロック」の傍部に表示される見出しは、デフォルト状態では図２３に示したパターンにより決まる。この仕組みは、利用者がカスタマイズすることで、任意に変更できる。たとえば図２４に示すようにタイトル付けパターンとしてもよい。
【００９３】
興味ブロックの画面上での表示形態としては、ページが重なって表現される。そして、見出しは、記号と文字、またはその組み合わせで表現される。
【００９４】
次に、アンカーワードの表示優先順位について説明する。
【００９５】
アンカーワードは、表示優先順位の高いものから順に見出しとして表示される。表示優先順位は次の項目により決まる。
１．出現率の多い単語
２．履歴流れ図（フロー図）から枝分かれの多いページのアンカーワード
３．滞在時間が長いページへのアンカーワード
４．その他
【００９６】
たとえば、１〜３の組み合わせによるアンカーワード抽出例として図２５がある。同図では映画タイトルとして「ユ○イテッド９３」を検索した例である。
【００９７】
同図では、全１１個のアンカーワードが索出されている。たとえば、「ユ○イテッド９３」、「ＥＮＴＥＲ  ＴＨＥ  ＳＩＴＥ」、「ＳＫＩＰ」、「ストーリー」、「イントロダクション」、「ユ○イテッド９３  −  ｇｏ○映画」、「東京  ※プルダウン選択」、
「み○き座（旧日比谷ス○ラ館）」、「ＴＯＨ○シネマズ六本木ヒルズ」、「新宿武蔵○館」、「地図」である。
【００９８】
この中で、１の「出現率」から抽出されるのは「“ユ○イテッド９３”  （３回出現）」、「“映画館”（２回出現）」である。２の履歴流れ図から枝分かれの多いページのアンカーワードとして抽出されるのは、枝分かれページ前のアンカーワード「“東京”（先３つに枝分かれ）」である。これらのことから、ワードの優先順位としては、第1位「東
京」、第２位「ユ○イテッド９３」、第３位「映画館」、第４位「その他」となる。ここで、「ユ○イテッド９３」と「映画館」とはユーザが入力した検索語と重複するため、省くとすると、優先順位は、第１位「東京」、第２位「その他」となる。また、「その他」にあたるものは、閲覧時間により優先順位を付けていってもよい。
【００９９】
図２６は、「彼岸花」を検索語としてアンカーワードを抽出した例を示している。
【０１００】
この例では、全６個のアンカーワードが索出されている。たとえば、「巾着田  彼岸花」、「日○市曼珠沙華の里「巾着田」公式ホームページ」、「「曼珠沙華」開花状況」、「中間地点」、「早咲き地点」、「市内ハイキングコース」である。図２５と同様の順位付けを行うと、第１位「日○市曼珠沙華の里「巾着田」公式ホームページ」、第２位「「曼珠沙華」開花状況」、第３位「巾着田」、第４位「曼珠沙華」となる。
【０１０１】
なお、本実施形態では、ブラウザプログラムとして画面履歴を表示する機能をもたせた場合で説明したが、これに限らず、汎用のブラウザプログラムのアドインまたはプラグイン機能として提供するものであってもよい。
【０１０２】
また、画面履歴の蓄積は、ユーザＰＣのハードディスク装置（ＨＤ）内で行ってもよいし、ネットワークを介したリブラウザサーバ、あるいは全く別のサーバで行ってもよい。
【産業上の利用可能性】
【０１０３】
本発明はネットワークブラウジングに適用できる。
【図面の簡単な説明】
【０１０４】
【図１】本実施形態のネットワークの全体のシステム構成を示す図である。
【図２】本実施形態のユーザＰＣの内部構成を示した図である。
【図３】本実施形態のリブラウザプログラムを実行した際のユーザＰＣのディスプレイ装置（ＤＩＳＰ）の表示画面を示す図である。
【図４】本実施形態のリブラウザプログラムによる閲覧画面を示す図である。
【図５】本実施形態の履歴ページの重ね表示について示す図である。
【図６】本実施形態の履歴ページの拡大表示について示す図である。
【図７】本実施形態の興味ブロックの表示の実例について示す図である。
【図８】本実施形態のふせん機能の表示／編集について示す図である。
【図９】本実施形態のふせんサインについて示す図である。
【図１０】本実施形態のふせん機能における文字の表示形式を示す図である。
【図１１】本実施形態のリブラウザプログラムによって実現される、再閲覧機能をディスプレイ装置（ＤＩＳＰ）上で表示した例である。
【図１２】本実施形態のブラウジング画面表示部の表示切り替えを行うボタンを拡大表示した図である。
【図１３】本実施形態のブラウジング画面表示部の表示切り替えを行う「文字」ボタンを指定した際に表示される画面例である。
【図１４】本実施形態のブラウジング画面表示部の表示切り替えを行う「流れ」ボタンを指定した際に表示される画面例である。
【図１５】本実施形態のカレンダー表示ページの画面例である。
【図１６】本実施形態のカレンダー表示部の、時間毎の閲覧量表示および時間帯毎の分布表示を示す図である。
【図１７】本実施形態のカレンダー表示部の１日の始まり時間の設定例を示す図である。
【図１８】本実施形態のカレンダー表示部のグラフの表示例を示す図である。
【図１９】本実施形態のもくじページの画面表示例である。
【図２０】本実施形態の興味ブロック俯瞰ページにおける画像と履歴データより俯瞰した画面表示例である。
【図２１】本実施形態の興味ブロック俯瞰ページにおける画像と見出しを主として俯瞰した画面表示例である。
【図２２】本実施形態の興味ブロックをグループ化した表示例を示す図である。
【図２３】本実施形態の興味ブロックの傍部に表示される見出しを決定するパターンを示すフロー図である。
【図２４】本実施形態の興味ブロックの傍部に表示される見出しを決定するパターンを示すフロー図である。
【図２５】本実施形態のアンカーワード抽出例を示す図である。
【図２６】本実施形態の「彼岸花」を検索語としてアンカーワードを抽出した例を示す図である。
【図１】
2009048278.tif 000003
【図２】
2009048278.tif 000004
【図３】
2009048278.tif 000005
【図４】
2009048278.tif 000006
【図５】
2009048278.tif 000007
【図６】
2009048278.tif 000008
【図７】
2009048278.tif 000009
【図８】
2009048278.tif 000010
【図９】
2009048278.tif 000011
【図１０】
2009048278.tif 000012
【図１１】
2009048278.tif 000013
【図１２】
2009048278.tif 000014
【図１３】
2009048278.tif 000015
【図１４】
2009048278.tif 000016
【図１５】
2009048278.tif 000017
【図１６】
2009048278.tif 000018
【図１７】
2009048278.tif 000019
【図１８】
2009048278.tif 000020
【図１９】
2009048278.tif 000021
【図２０】
2009048278.tif 000022
【図２１】
2009048278.tif 000023
【図２２】
2009048278.tif 000024
【図２３】
2009048278.tif 000025
【図２４】
2009048278.tif 000026
【図２５】
2009048278.tif 000027
【図２６】
2009048278.tif 000028